(57)【要約】      （修正有）【課題】光源を光源モジュールの後部に導き、無効区域を減らし、さらに照射区域を増やす長所を持つようにした照射範囲が増大可能な光源モジュールや照明器具の構造を提供する。【解決手段】表面に散乱や屈折や発射に役割を果たす複数の微細構造１１が形成される一つの円弧形の光案内柱１と、当光案内柱の両端に互いに対応する二つの発光ダイオード１３と、を具備するようにした照射範囲が増大可能な光源モジュール及び、少なくとも一つの案内柱と一つの散熱部２と一つの熱伝導部３と、を具備するようにした照明器具の構造。【選択図】図２
0003184837.tif 000002
【実用新案登録請求の範囲】
【請求項１】
照射範囲が増大可能な光源モジュールには、一つの円弧形の光案内柱と二つの発光ダイオードとを具備して、前記光案内柱の表面に散乱や屈折や発射の役割を果たす複数の微細構造が形成されて、前記発光ダイオードが別々に前記光案内柱の両端に互いに対応して設置されるようにしたことを特徴とする照射範囲が増大可能な光源モジュール。
【請求項２】
前記光案内柱の両端に各々一つの収容空間が設けられ、二つの前記発光ダイオードが別々に二つの前記収容空間の中に設置されるようにしたことを特徴とする請求項１に記載の照射範囲が増大可能な光源モジュール。
【請求項３】
前記光案内柱の表面に形成される前記微細構造が角錐形または円錐形または球状に設けられるようにしたことを特徴とする請求項１に記載の照射範囲が増大可能な光源モジュール。
【請求項４】
前記光案内柱の表面に形成される微細構造が前記光案内柱の表面に撒き散らせるようにしたことを特徴とする請求項３に記載の照射範囲が増大可能な光源モジュール。
【請求項５】
前記発光ダイオードが一つの熱伝導部に連結されるようにしたことを特徴とする請求項１に記載の照射範囲が増大可能な光源モジュール。
【請求項６】
照明器具の構造には、少なくとも一つの円弧形の光案内柱と、少なくとも二つの発光ダイオードと、一つの散熱部と、一つの熱伝導部と、を具備して、前記光案内柱の表面に散乱や屈折や発射の役割を果たす複数の微細構造が形成されて、前記発光ダイオードが分別に前記光案内柱の両端に互いに対応して設置され、前記散熱部に複数の冷却フィンが設けられ、前記散熱部の一端に一つの電源座が設けられ、もう一端に一つの接触面が設けられ、前記熱伝導部が前記接触面の上に連結され、前記熱伝導部の上に前記光案内柱が設置されるようにしたことを特徴とする照明器具の構造。
【請求項７】
前記光案内柱の両端に各一つの収容空間が設けられ、前記発光ダイオードが別々に前記収容空間の中に設置されるようにしたことを特徴とする請求項６に記載の照明器具の構造。
【請求項８】
前記複数の冷却フィンが互いに等間隔に配列されるようにしたことを特徴とする請求項６に記載の照明器具の構造。
【請求項９】
前記熱伝導部が一つの電気回路基板に設けられるようにしたことを特徴とする請求項６に記載の照明器具の構造。
【考案の詳細な説明】
【技術分野】
【０００１】
本考案は照射範囲が増大可能な光源モジュールや照明器具の構造に関し、特に光を後方へ導くようにした照射範囲が増大可能な光源モジュールや照明器具の構造に関連する。
【背景技術】
【０００２】
一般の光源モジュールは発光原理によって、多くの形式に分けることができる。光源の光源モジュールとして発光ダイオードを使って、その良好な光変換効率、固定の波長や明るさ、光を調整することができるなどの特徴で今最も広く使っている光源モジュールの一つになる。そのほか、発光ダイオードはさらに小型、低発熱、使用寿命が長い利点を持つ。
【０００３】
しかしながら、これらの利点が多い光源モジュールのタイプはまだ、その先天性の欠陥を持っている。かかわらず、光源の発光原理はどのような方式を採用してみんな照射範囲の方向性によって制限される。一般的に言えば、発光ダイオードの照射範囲はやく１２０度であり、その前方向に直射される正面の光が最も強いが、光源の側面と背面が比較的に弱く、甚だしきに至っては照明すらないので、いわゆる無効区域（もしくは暗区域）が生じる。無効区域の照度を向上させるために、多くの場合、その照明効果を強化するために追加の複数の照明器具を必要とするので、それはエネルギー浪費と消費を増加させる。
【考案の概要】
【考案が解決しようとする課題】
【０００４】
本考案は光源を照明器具の後方に導き、無効区域を減らし、さらに照射区域を増やすようにした照射範囲が増大可能な光源モジュールや照明器具の構造を提供する。その課題を解決するための手段は以下である。
【課題を解決するための手段】
【０００５】
照射範囲が増大可能な光源モジュールには、一つの円弧形の光案内柱と二つの発光ダイオードとを具備して、当光案内柱の表面に散乱や屈折や発射の役割を果たす複数の微細構造が形成されて、二つの発光ダイオードが別々に当光案内柱の両端に互いに対応して設置されるようにした照射範囲が増大可能な光源モジュール。
【０００６】
好ましい一実施例では、当光案内柱の両端に各一つの収容空間が設けられ、二つの当発光ダイオードが別々に二つの当収容空間の中に設置される。
【０００７】
好ましい一実施例では、当光案内柱の表面に形成される微細構造が角錐形または円錐形または球状に設けられる。
【０００８】
好ましい一実施例では、当光案内柱の表面に形成される微細構造が当光案内柱の表面に撒き散らせる。
【０００９】
好ましい一実施例では、当発光ダイオードが一つの熱伝導部に連結される。
【００１０】
照明器具の構造には、少なくとも一つの円弧形の光案内柱と、少なくとも二つの発光ダイオードと、一つの散熱部と、一つの熱伝導部と、を具備して、当光案内柱の表面に散乱や屈折や発射の役割を果たす複数の微細構造が形成されて、当発光ダイオードが分別に当光案内柱の両端に互いに対応して設置されて、当散熱部に複数の冷却フィンが設けられ、当散熱部の一端に一つの電源座が設けられてもう一端に一つの接触面が設けられ、当熱伝導部が当接触面の上に連結されて、当熱伝導部の上に前記光案内柱が設置されるようにした照明器具の構造。
【００１１】
好ましい一実施例では、前記光案内柱の両端に各一つの収容空間か設けられ、前記発光ダイオードが別々に前記収容空間の中に設置される。
【００１２】
好ましい一実施例では、前記複数の冷却フィンが互いに等間隔に配列される。
【００１３】
好ましい一実施例では、当熱伝導部が一つの電気回路基板に設けられる。
【考案の効果】
【００１４】
本考案は背景技術と比べて次の優れた点を持っている。
【００１５】
第一、光線は当光案内柱を経由して且つその上の複数の微細構造に影響を受けって散乱や屈折や反射などを発生して、光線を徐々に光源モジュールの背面に導き、その照射区域を増やし、無効区域を減らすので、当光源モジュールと照明器具の構造に照射範囲を増大させることができる長所を持つ。
【００１６】
第二に、当光源モジュールと当照明器具の構造は照明効果を高めるために、別の複数の照明を追加する必要はなく、省エネルギーの長所を持つ。
【００１７】
第三に、当光案内柱はコンパクトなデザインで、一度に当熱伝導部の上に複数取り付けられ、光源モジュールの輝度を向上させる。
【図面の簡単な説明】
【００１８】
【図１】本考案の照射範囲が増大可能な光源モジュールの立体状態を示す図である。
【図２】本考案の照射範囲が増大可能な光源モジュールの立体分解状態を示す図である。
【図３】本考案の照射範囲が増大可能な光源モジュールの操作状態を示す図である。
【図４】図３の光案内柱の内部の射光径路の一部拡大状態を示す図である。
【図５Ａ】図４の光案内柱の上の微細構造の一部拡大状態を示す図である。
【図５Ｂ】図４の光案内柱の上の微細構造の一部拡大状態を示す図である。
【図５Ｃ】図４の光案内柱の上の微細構造の一部拡大状態を示す図である。
【考案を実施するための形態】
【００１９】
以下、図を見ながら、本考案の具体的な実施例を説明する。
【００２０】
図１から図３までを参照されたい。本考案の照射範囲が増大可能な光源モジュールには、一つの円弧形の光案内柱１と、その表面に形成される微細構造１１と、当光案内柱１の両端に設置される収容空間１２と、当光案内柱１の両端に互いに対応して設置される二つの発光ダイオード１３と、を具備する。
【００２１】
当微細構造１１は一連の計算と実験を経由してから設計される特殊な構造であり、その形状が角錐形または円錐形または球状(分別に図５Ａ、５Ｂ、５Ｃのように示す)に設けられて、且つ光案内柱１の表面の上に撒き散らす。当二つの発光ダイオード１３が別々に当光案内柱１の二つの収容空間１２の中に設置されて、そして熱伝導部３に連結される。当二つの発光ダイオード１３は熱伝導部３によって電力を駆動して照明光線を発生して且つ当光案内柱１に照射されて、その光線は当光案内柱１の微細構造１１に影響を受けるので、予想通りに様々な効果、例えば散乱や屈折や反射など(図４のように示す)が起こり、その目的として光線を徐々に当光源モジュールの後方に導き、無効区域(暗区域)を減らし、その照射区域を増やす。
【００２２】
本考案は別に照明器具の構造を提供する。前記光源モジュールのほかに、さらに、一つの散熱部２と一つの熱伝導部３と、を具備する。当散熱部２の側面に複数の冷却フィン２１が設けられ、当散熱部２の一端に一つの電源座２２が設けられてもう一端に一つの接触面２３が設けられる。
【００２３】
複数の当冷却フィン２１が互いに等間隔で当散熱部２の側面に配列され、その機能として空気との間の接触面積を増大して対流が加速されるので、速めに放熱を出すことができる。当電源座２２が金属部材に設けられ、外部電源に連接されて且つ通電される。当接触面２３の上に一つの穴(図略)が設けられ、電源と連接するためである。
【００２４】
当熱伝導部３が一つの電気回路基板に設けられ、一側に複数の発光ダイオード１３が設けられ、もう一側に二本の電源線(図略)が設けられ、当二本の電源線が当穴を通して且つ電気的に当電源座２２に連接され、電気回路が通電されると、これらの発光ダイオード１３が駆動されるため、照明とする目的に達成する。当熱伝導部３が当接触面２３の上に連結される。そのため、これらの発光ダイオード１３から放出されるエネルギーは熱伝導の方式によって当接触面２３からこれらの冷却フィン２１へ導いて対流を行って放熱される。本考案には、同時に三つの光源モジュールを具備して、当三つの光源モジュールの配列の方式が等角度のような間隔に設置されるけれども、前記光源モジュールの個数と配列の方式を実質的に特に制限されない。
【００２５】
本考案の照射範囲が増大可能な光源モジュールには、光案内柱と微細構造のデザインを利用して、効果的に光を導くので無効区域を減少して、さらにその照射範囲を増大する目的に達成する。そして、当光案内柱はコンパクトなデザインで、一度に当熱伝導部の上に複数取り付けられ、光源モジュールの輝度を向上させる。
【００２６】
以上で述べたのは本考案の一つの好ましい実施形態のみにすぎない。しかし、本考案のデザインアイディアはこれに限定されるものではなく、すなわち、本考案のアイディアに基づいて変形させることが可能であり、それらは本考案の範囲から排除するものではない。
【符号の説明】
【００２７】
１  光案内柱
１１  微細構造
１２  収容空間
１３  発光ダイオード
２  散熱部
２１  冷却フィン
２２  電源座
２３  接触面
３  熱伝導部
【図１】
0003184837.tif 000003
【図２】
0003184837.tif 000004
【図３】
0003184837.tif 000005
【図４】
0003184837.tif 000006
【図５Ａ】
0003184837.tif 000007
【図５Ｂ】
0003184837.tif 000008
【図５Ｃ】
0003184837.tif 000009